(57)【特許請求の範囲】
【請求項１】
ＰＣカードが挿入されるスロットを有する情報処理装置に設けられ、前記スロットに挿入された前記ＰＣカードの抜き取りを禁止するＰＣカード盗難防止機構において、
前記スロットに沿って設けられたセキュリティースロットと、
該セキュリティースロットに挿入され、挿入方向に沿って複数の凹部が形成され、更に、基端側に、前記スロットに挿入された前記ＰＣカードの後端面に対向する後端面対向部が形成されたロック板と、
前記セキュリティースロットに設けられ、前記セキュリティースロットに挿入される前記ロック板の凹部に係合可能で、係合すると前記ロック板の抜き取り方向の移動を禁止する弾性ロック部材と、
前記セキュリティースロットに挿入され、前記弾性ロック部材を弾性変形させて、前記ロック板の凹部から離脱する方向に移動させる解錠キーと、
からなることを特徴とするＰＣカード盗難防止機構。
【請求項２】
前記弾性ロック部材は、
前記情報処理装置側に取り付けられ、前記ロック板の挿入方向と略同じ方向で、前記ロック板の挿入方向と交差する方向に延出する第１の辺と、
該第１の辺の先端部から折曲し、前記ロック板の挿入方向と略反対方向で、前記ロック板の挿入方向と交差する方向に延出し、前記凹部に係合する第２の辺と、
該第２の辺の先端部から折曲し、前記ロック板の挿入方向と略同じ向で、前記ロック板の挿入方向と交差する方向に延出し、前記凹部に係合する第３の辺と、
該第３の辺の先端部から折曲し、前記ロック板の挿入方向と略反対方向で、前記ロック板の挿入方向と交差する方向に延出し、前記第１の辺の中間部に当接する第４の辺と、
を有する矩形の板ばねであることを特徴とする請求項１記載のＰＣカード盗難防止機構。
【請求項３】
前記凹部は、
前記ロック板の対向する２つの側面に形成されたことを特徴とする請求項１又は２記載のＰＣカード盗難防止機構。
【請求項４】
前記ロック板の前記解錠キーとの対向面に突起を設け、
前記解錠キーには、先端部に開口を有し、前記解錠キーの挿入方向に延出し、前記突起が嵌入するスリットを設けたことを特徴とする請求項１乃至３のいずれかに記載のＰＣカード盗難防止機構。
【請求項５】
前記突起は、前記ロック板の挿入方向と交差する方向に複数設けられていることを特徴とする請求項４記載のＰＣカード盗難防止機構。
【発明の詳細な説明】
【技術分野】
【０００１】
本発明は、ＰＣカードが挿入されるスロットを有する情報処理装置に設けられ、前記スロットに挿入された前記ＰＣカードの抜き取りを禁止するＰＣカード盗難防止機構に関する。
【背景技術】
【０００２】
現在、ＰＣカードの盗難防止機構としては、図１２に示すような機構がある。図において、情報処理装置１のスロット３，５には、ＰＣカード７，９が挿入されている。
そして、ねじ１１，１３で情報処理装置１に取り付けられ、スロット３、５に挿入されたＰＣカード７、９の後端面に対向する対向部１５ａ，１７ａを有する盗難防止板１５，１７により、ＰＣカード７，９の抜き取りを禁止している。
【０００３】
又、携帯情報処理装置では、ＰＣカードの挿入を許容する第１の位置と、挿入されたＰＣカードの後端面に対向し、ＰＣカードの抜き取りを禁止する第２の位置との間でスライド可能なカードロックを携帯情報処理装置に設け、第２の位置にあるカードロックの移動を禁止するようにしたＰＣカード盗難防止機構もある（例えば、特許文献１参照）。
【特許文献１】特開平１１−１４３５７７号公報（図２）
【発明の開示】
【発明が解決しようとする課題】
【０００４】
しかし、図１２に示すＰＣカード盗難防止機構では、挿入後のＰＣカードの出っ張り長さが異なっている場合、ＰＣカード毎の長さに合わせた盗難防止板が必要となる問題点がある。又、盗難防止板の取り付けがねじなので、容易に盗難防止板の取り外しができる問題点もある。
【０００５】
次に、特許文献１に記載されたＰＣカード盗難防止機構では、スロットに挿入した際に、携帯情報処理装置からの出っ張りがないＰＣカードしか使用できない問題点がある。
本発明は、上記問題点に鑑みてなされたもので、その課題は、ＰＣカードの長さに対応した部品が不要で、長さの異なるＰＣカードであっても簡単に対応でき、盗難防止性に優れたＰＣカードの盗難防止機構を提供することにある。
【課題を解決するための手段】
【０００６】
上記課題を解決する請求項１に係る発明は、ＰＣカードが挿入されるスロットを有する情報処理装置に設けられ、前記スロットに挿入された前記ＰＣカードの抜き取りを禁止するＰＣカード盗難防止機構において、前記スロットに沿って設けられたセキュリティースロットと、該セキュリティースロットに挿入され、挿入方向に沿って複数の凹部が形成され、更に、基端側に、前記スロットに挿入された前記ＰＣカードの後端面に対向する後端面対向部が形成されたロック板と、前記セキュリティースロットに設けられ、前記セキュリティースロットに挿入される前記ロック板の凹部に係合可能で、係合すると前記ロック板の抜き取り方向の移動を禁止する弾性ロック部材と、前記セキュリティースロットに挿入され、前記弾性ロック部材を弾性変形させて、前記ロック板の凹部から離脱する方向に移動させる解錠キーと、からなることを特徴とするＰＣカード盗難防止機構である。
【０００７】
スロットにＰＣカードが挿入された後に、後端面対向部がＰＣカードの後端面に当接するまで、ロック板をセキュリティースロットに挿入する。この状態から、ＰＣカードを抜き取ると、弾性ロック部材がロック板の凹部に係合し、それ以上のロック板の抜き取りが禁止されるＰＣカードの盗難防止機構の施鍵状態となる。この状態では、この状態では、ＰＣカードをスロットから抜き取ろうとしても、ＰＣカードの後端部がロック板の後端面対向部に当接し、ＰＣカードの抜き取りが禁止される。
【０００８】
この施鍵状態を解除するには、セキュリティースロットに解錠キーを挿入する。すると、弾性ロック部材が弾性変形し、前記ロック板の凹部から離脱する方向に移動し、施鍵状態が解除され、ＰＣカードの抜き取りが可能なＰＣカードの盗難防止機構の解錠状態となる。
【０００９】
請求項２に係る発明は、前記弾性ロック部材は、前記情報処理装置側に取り付けられ、前記ロック板の挿入方向と略同じ方向で、前記ロック板の挿入方向と交差する方向に延出する第１の辺と、該第１の辺の先端部から折曲し、前記ロック板の挿入方向と略反対方向で、前記ロック板の挿入方向と交差する方向に延出する第２の辺と、該第２の辺の先端部から折曲し、前記ロック板の挿入方向と略同じ向で、前記ロック板の挿入方向と交差する方向に延出する第３の辺と、該第３の辺の先端部から折曲し、前記ロック板の挿入方向と略反対方向で、前記ロック板の挿入方向と交差する方向に延出し、前記第１の辺の中間部に当接する第４の辺とを有する略矩形状の板ばねであることを特徴とする請求項１記載のＰＣカード盗難防止機構である。
【００１０】
請求項３に係る発明は、前記凹部は、前記ロック板の対向する２つの側面に形成されたことを特徴とする請求項１又は２記載のＰＣカード盗難防止機構である。
請求項４に係る発明は、前記ロック板の前記解錠キーとの対向面に突起を設け、前記解錠キーには、先端部に開口を有し、前記解錠キーの挿入方向に延出し、前記突起が嵌入するスリットを設けたことを特徴とする請求項１乃至３のいずれかに記載のＰＣカード盗難防止機構である。
【００１１】
請求項５に係る発明は、前記突起は、前記ロック板の挿入方向と交差する方向に複数設けられていることを特徴とする請求項４記載のＰＣカード盗難防止機構である。
【発明の効果】
【００１２】
請求項１−５に係る発明によれば、セキュリティースロットに挿入され、挿入方向に沿って複数の凹部が形成され、更に、基端側に、前記スロットに挿入された前記ＰＣカードの後端面に対向する後端面対向部が形成されたロック板と、前記セキュリティースロットに設けられ、前記セキュリティースロットに挿入される前記ロック板の凹部に係合可能で、係合すると前記ロック板の抜き取り方向の移動を禁止する弾性ロック部材とを有することで、ＰＣカードの長さに対応した部品が不要で、長さの異なるＰＣカードであっても簡単に対応できる。
【００１３】
又、解錠は、前記セキュリティースロットに挿入され、前記弾性ロック部材を弾性変形させて、前記ロック板の凹部から離脱する方向に移動させる解錠キーで行なうことにより、盗難防止性に優れている。
【００１４】
請求項２に係る発明によれば、前記弾性ロック部材は、前記情報処理装置側に取り付けられ、前記ロック板の挿入方向と略同じ方向で、前記ロック板の挿入方向と交差する方向に延出する第１の辺と、該第１の辺の先端部から折曲し、前記ロック板の挿入方向と略反対方向で、前記ロック板の挿入方向と交差する方向に延出し、前記凹部に係合する第２の辺と、該第２の辺の先端部から折曲し、前記ロック板の挿入方向と略同じ向で、前記ロック板の挿入方向と交差する方向に延出し、前記凹部に係合する第３の辺と、該第３の辺の先端部から折曲し、前記ロック板の挿入方向と略反対方向で、前記ロック板の挿入方向と交差する方向に延出し、前記第１の辺の中間部に当接する第４の辺と、を有する矩形の板ばねである。弾性ロック部材は、第２の辺と第３の辺との角部を頂点として、第２の辺、第３の辺がロック板の凹部内に嵌合する。そして、引き抜き方向にロック板が移動すると、第２の辺がロック部材の凹部の開口側の角部に押され、第２の辺と第３の辺との角部が凹部の底面に当接するまで、第２の辺と第３の辺との角部と、第４の辺の第１の辺への当接部とを結ぶ対角線が長くなり、第１の辺と第２の辺との角部と、第３の辺と第４の辺との角部とを結ぶ対角線が短くなる方向に弾性ロック部材は変形する。そして、第２の辺と第３の辺との角部が凹部の底面に当接した以降は、弾性ロック部材は、矩形を保ったままロック板に対して、２カ所（第２の辺と凹部の開口側の角部との当接と、第２の辺と第３の辺との角部の凹部の底面への当接）で当接することにより、ロック強度が高い。
【００１５】
請求項３に係る発明によれば、前記凹部は、前記ロック板の対向する２つの側面に形成されたことにより、ロック強度が高くなる。又、ロック部材と一方の側面側の凹部との係合の解除と、ロック部材と他方の側面側の凹部との係合の解除とを同時に行わなければ、ロック板の引き抜きはできないので、盗難防止性に優れる。
【００１６】
請求項４に係る発明によれば、前記ロック板の前記解錠キーとの対向面に突起を設け、前記解錠キーには、先端部に開口を有し、前記解錠キーの挿入方向に延出し、前記突起が嵌入するスリットを設けたことにより、解錠キーの替わりに薄板を用いて解錠を行なうことを防止でき、盗難防止性に優れる。
【００１７】
請求項５に係る発明は、前記突起は、前記ロック板の挿入方向と交差する方向に複数設けられていることにより、幅の狭い薄板を挿入して、解錠しようとしても、薄板の強度が足りなくなり解錠を防止できる。更に、解錠キーをロック板に沿って正確に案内することができる。
【００１８】
又、突起が一つで、ロック板の後端面対向部近傍にある場合、ＰＣカードが長いと、突起がセキュリティースロット内に位置せず、外部に露出し、薄板を用いて容易に解錠行うことが可能となる。
【００１９】
そこで、請求項４，請求項５において、前記突起は、前記ロック板の先端側に設けられているが好ましい。ＰＣカードの長さが長い場合でも、突起がセキュリティースロット内に必ず位置し、薄板を用いての解錠を防止できる。
【００２０】
更に、請求項４，請求項５において、前記突起は、前記ロック板の凹部に対向して複数設けられているも好ましい。
【発明を実施するための最良の形態】
【００２１】
＜第１の実施の形態例＞
図１−図８を用いて説明する。第１の形態例のＰＣカード盗難防止機構が設けられる情報処理装置の斜視図である図１に示すように、情報処理装置１０１には、ＰＣカード１０３，１０３’が挿入されるスロット１０５、１０５’が設けられている。
【００２２】
そして、スロット１０５、１０５’に沿ってセキュリティースロット１０７、１０７’がそれぞれ設けられている。
次に、スロット１０５，１０５’に挿入されたＰＣカード１０３，１０３’の抜き取りを禁止する第１、第２のＰＣカード盗難防止機構を説明する。尚、第１のＰＣカード盗難防止機構、第２のＰＣカード盗難防止機構の構成は同一であるので、第１のＰＣカード盗難防止機構を説明し、第２のＰＣカード盗難防止機構に関しては、第１のＰＣカード盗難防止機構と同一部分に、同一符号＋ダッシュ（’）を付し、説明は省略する。
【００２３】
スロット１０５にＰＣカード１０３が挿入されると、セキュリティースロット１０７に、板材を加工してなるロック板１１１が挿入される。このロック板１１１には、挿入方向（図１において矢印Ｉ方向）、本形態例では、対向する２つの側面に沿って複数の凹部１１１ａが形成されている。又、基端部側には、基端部から折曲され、スロット１０５に挿入されたＰＣカード１０３の後端面に対向する後端面対向部１１１ｂと、後端面対向部１１１ｂから折曲され、ＰＣカード１０３の下面後部に対向する下面対向部１１１ｃとが形成されている。ロック板１１１の上面には、挿入方向に沿って複数の突起１１１ｄが形成されている。
【００２４】
次に、ロック板１１１をセキュリティースロット１０７に挿入した状態を、図２−図４を用いて説明する。図２は図１においてセキュリティースロット１０７にロック板１１１を挿入した状態での切断線Ａ−Ａでの断面図、図３は図２の切断線Ｂ−Ｂでの断面図、図４は図２の弾性ロック部材の拡大図である。これらの図に示すように、セキュリティースロット１０７内には、セキュリティースロット１０７に挿入されるロック板１１１の凹部１１１ａに係合可能で、係合するとロック板１１１の抜き取り方向（図２においてＥ方向、図１において矢印Ｉ方向と反対方向）の移動を禁止する弾性ロック部材１２１が設けられている。
【００２５】
本形態例の弾性ロック部材は、図４に示すように、情報処理装置１０１側に取り付けられ、ロック板１１１の挿入方向（図４において矢印Ｉ方向）と略同じ方向で、ロック板１１１の挿入方向と交差する方向に延出する第１の辺１２１ａと、第１の辺１２１ａの先端部から折曲し、ロック板１１１の挿入方向と略反対方向で、ロック板１１１の挿入方向と交差する方向に延出し、凹部１１１ａに係合する第２の辺１２１ｂと、第２の辺１２１ｂの先端部から折曲し、ロック板１１１の挿入方向と略同じ向で、ロック板１１１の挿入方向と交差する方向に延出し、凹部１１１ａに係合する第３の辺１２１ｃと、第３の辺１２１ｃの先端部から折曲し、ロック板１１１の挿入方向と略反対方向で、ロック板１１１の挿入方向と交差する方向に延出し、第１の辺１２１ａの中間部に当接する第４の辺１２１ｄとを有する矩形の板ばねである。
【００２６】
ここまでの作動を説明する。スロット１０５にＰＣカード１０３が挿入された後に、後端面対向部１１１ｂがＰＣカード１０３の後端面に当接するまで、ロック板１１１をセキュリティースロット１０７に挿入する。この状態から、ロック板１１１を抜き取ると、弾性ロック部材１２１がロック板１１１の凹部１１１ａに係合し、それ以上のロック板１１１の抜き取りが禁止されるＰＣカードの盗難防止機構の施鍵状態となる。この状態では、ＰＣカード１０３をスロット１０５から抜き取ろうとしても、ＰＣカード１０３の後端部がロック板１１１の後端面対向部１１１ｂに当接し、ＰＣカード１０３の抜き取りが禁止される。
【００２７】
尚、本形態例では、ロック板１１１の凹部１１１ａは、スロット１０５に挿入されるＰＣカード１０３の長さに応じて複数形成している。又、凹部１１１ａが形成される位置は、ロック板１１１の後端面対向部１１１ｂとＰＣカード１０３の後端面との間に若干の隙間（例えば１ｍｍ）がある状態で、凹部１１１ａと弾性ロック部材１２１とが係合する位置とした。更に、凹部１１１の開口部側の角部は、面取りを行ない、スームズな弾性ロック部材の係合を得るようにした。
【００２８】
更に、突起１１１ｄは、ロック板１１１の凹部１１１ａに対向して設けられている。
次に、このＰＣカードの盗難防止機構の施鍵状態を解除して、解錠状態とする解錠キーの説明を図５−７を用いて説明する。図５は図１においてセキュリティースロットにロック板を挿入した状態を示す斜視図、図６は図５においてセキュリティースロットに解錠キーを挿入した状態での切断線Ｃ−Ｃでの断面図、図７は図６の切断線Ｄ−Ｄでの断面図である。
【００２９】
図５に示すように、施鍵状態のＰＣカードの盗難防止機構を解錠するには、解錠キー１５１をセキュリティースロット１０７に挿入する。本形態例では、解錠キー１５１は、ロック板１１１の上面と対向するように挿入され、ロック板１１１との対向面には、先端部に開口を有し、解錠キー１５１の挿入方向（矢印Ｉ方向）に延出し、ロック板１１１の突起１１１ｄが嵌入するスリット１５１ａが形成されている。又、図６に示すように、解錠キー１５１の幅（Ｗ）は、ロック板１１１の幅（ｗ）以上に設定され、ロック板１１１の凹部１１１ａに係合している弾性ロック部材１２１に押接し、弾性ロック部材１２１を弾性変形させて、弾性ロック部材１２１をロック板１１１の凹部１１１ａから離脱する方向に移動させるようになっている。
【００３０】
よって、解錠キー１５１をセキュリティースロット１０７に挿入することにより、ＰＣカード１０３の抜き取りが可能なＰＣカードの盗難防止機構の解錠状態となる。
上記構成によれば、下記のような効果を得ることができる。
（１）セキュリティースロット１０７に挿入され、挿入方向に沿って複数の凹部１１１ａが形成され、更に、基端側に、スロット１０５に挿入されたＰＣカード１０３の後端面に対向する後端面対向部が形成されたロック板１１１と、セキュリティースロット１０７に設けられ、セキュリティースロット１０７に挿入されるロック板１１１の凹部１１１ａに係合可能で、係合するとロック板１１１の抜き取り方向の移動を禁止する弾性ロック部材１２１とを有することで、ＰＣカード１０３の長さに対応した部品が不要で、長さの異なるＰＣカード１０３であっても簡単に対応できる。
【００３１】
又、解錠は、セキュリティースロット１０７に挿入され、弾性ロック部材１２１を弾性変形させて、ロック板１１１の凹部１１１ａから離脱する方向に移動させる解錠キー１５１で行うことにより、盗難防止性に優れている。
（２）図４に示すよう、弾性ロック部材１２１は、情報処理装置１０１側に取り付けられ、ロック板１１１の挿入方向（矢印Ｉ方向）と略同じ方向で、ロック板１１１の挿入方向と交差する方向に延出する第１の辺１２１ａと、第１の辺１２１２１ａの先端部から折曲し、ロック板１１１の挿入方向と略反対方向（矢印Ｅ方向）で、ロック板１１１の挿入方向と交差する方向に延出し、凹部１１１ａに係合する第２の辺１２１ｂと、第２の辺１２１ｂの先端部から折曲し、ロック板１１１の挿入方向と略同じ向で、ロック板１１１の挿入方向と交差する方向に延出し、凹部１１１ａに係合する第３の辺１２１ｃと、第３の辺１２１ｃの先端部から折曲し、ロック板１１１の挿入方向と略反対方向で、ロック板１１１の挿入方向と交差する方向に延出し、第１の辺１２１ａの中間部に当接する第４の辺と、を有する矩形の板ばねである。
【００３２】
弾性ロック部材１２１は、第２の辺１２１ｂと第３の辺１２１ｃとの角部Ｓを頂点として、第２の辺１２１ｂ、第３の辺１２１ｃがロック板１１１の凹部１１１ａに係合する。そして、引き抜き方向にロック板１１１が移動すると、第２の辺１２１ｂがロック板１１１の凹部１１１ａの開口側の角部１１１ｔに押され、第２の辺１２１ｂと第３の辺１２１ｃとの角部Ｓが凹部１１１ａの底面に当接するまで、第２の辺１２１ｂと第３の辺１２１ｃとの角部と、第４の辺１２１ｄの第１の辺１２１ａへの当接部とを結ぶ対角線が長くなり、第１の辺１２１ａと第２の辺１２１ｂとの角部と、第３の辺１２１ｃと第４の辺１２１ｄとの角部とを結ぶ対角線が短くなる方向に弾性ロック部材は変形する。そして、第２の辺１２１ｂと第３の辺１２１ｄとの角部Ｓが凹部１１１ａの底面に当接した以降は、弾性ロック部材１２１は、矩形を保ったままロック板１１１に対して、２カ所（第２の辺１２１ｂと凹部１１１ａの開口側の角部１１１ｔとの当接と、第２の辺１２１ｂと第３の辺１２１ｃとの角部Ｓの凹部１１ａの底面への当接）で当接することにより、ロック強度が高い。
（３）凹部１１１ａは、ロック板１１１の対向する２つの側面に形成されたことにより、ロック強度が高くなる。又、ロック部材１２１と一方の側面側の凹部１１１ａとの係合の解除と、ロック部材１２１と他方の側面側の凹部１１１ａとの係合の解除とを同時に行わなければ、ロック板１１１の引き抜きはできないので、盗難防止性に優れる。
（４）ロック板１１１の解錠キー１５１との対向面に突起１１１ｄを設け、解錠キー１５１には、先端部に開口を有し、解錠キー１５１の挿入方向に延出し、突起１１１ｄが嵌入するスリット１５１ａを設けたことにより、解錠キーの替わりに薄板を用いて解錠を行なうことを防止でき、盗難防止性に優れる。
【００３３】
尚、突起が一つで、ロック板１１１の後端面対向部１１１ｂ近傍にある場合、ＰＣカード１０３が長いと、突起がセキュリティースロット内に位置せず、外部に露出し、薄板を用いて容易に解錠行うことが可能となる。本形態例では、図８に示すように、突起１１１ｄは、ロック板１１１の凹部１１１ａに対向して設けられているので、ロック板１１１の先端側にも突起１１１ｄはある。よって、ＰＣカード１０３の長さが長い場合でも、突起１１１ｄがセキュリティースロット１０７内に必ず位置し、薄板を用いての解錠を防止できる。
＜第２の実施の形態例＞
本形態例と第１の実施の形態例との相違点は、ロック板と、解錠キーである。第２の形態例のロック板２１１の斜視図である図９に示すように、ロック板２１１には、ロック板２１１の挿入方向（図において矢印Ｉ方向）と交差する方向に、突起２１１ｄが複数列（２列）設けられている。一方、第２の形態例の解錠キー２５１の斜視図である図１０、セキュリティースロットに図９のロック板、図１０の解錠キーを挿入した状態を示す図である図１１に示すように、、解錠キー２５１のロック板２１１との対向面には、先端部に開口を有し、解錠キー２５１の挿入方向（矢印Ｉ方向）に延出し、ロック板２１１の突起２１１ｄが嵌入する２つのスリット２５１ａが形成されている。
【００３４】
このような構成によれば、ロック板２１１の突起２１１ｄは、ロック板２１１の挿入方向と交差する方向に２列設けられていることにより、幅の狭い薄板を挿入して、解錠しようとしても、薄板の強度が足りなくなり解錠を防止できる。更に、解錠キー２５１をロック板１１１に沿って正確に案内することができる。
【００３５】
（付記１）
ＰＣカードが挿入されるスロットを有する情報処理装置に設けられ、前記スロットに挿入された前記ＰＣカードの抜き取りを禁止するＰＣカード盗難防止機構において、
前記スロットに沿って設けられたセキュリティースロットと、
該セキュリティースロットに挿入され、挿入方向に沿って複数の凹部が形成され、更に、基端側に、前記スロットに挿入された前記ＰＣカードの後端面に対向する後端面対向部が形成されたロック板と、
前記セキュリティースロットに設けられ、前記セキュリティースロットに挿入される前記ロック板の凹部に係合可能で、係合すると前記ロック板の抜き取り方向の移動を禁止する弾性ロック部材と、
前記セキュリティースロットに挿入され、前記弾性ロック部材を弾性変形させて、前記ロック板の凹部から離脱する方向に移動させる解錠キーと、
からなることを特徴とするＰＣカード盗難防止機構。
【００３６】
（付記２）
前記弾性ロック部材は、
前記情報処理装置側に取り付けられ、前記ロック板の挿入方向と略同じ方向で、前記ロック板の挿入方向と交差する方向に延出する第１の辺と、
該第１の辺の先端部から折曲し、前記ロック板の挿入方向と略反対方向で、前記ロック板の挿入方向と交差する方向に延出し、前記凹部に係合する第２の辺と、
該第２の辺の先端部から折曲し、前記ロック板の挿入方向と略同じ向で、前記ロック板の挿入方向と交差する方向に延出し、前記凹部に係合する第３の辺と、
該第３の辺の先端部から折曲し、前記ロック板の挿入方向と略反対方向で、前記ロック板の挿入方向と交差する方向に延出し、前記第１の辺の中間部に当接する第４の辺と、
を有する矩形の板ばねであることを特徴とする付記１記載のＰＣカード盗難防止機構。
【００３７】
（付記３）
前記凹部は、
前記ロック板の対向する第１の側面、第２の側面に形成されたことを特徴とする付記１又は２記載のＰＣカード盗難防止機構。
【００３８】
（付記４）
前記ロック板の前記解錠キーとの対向面に突起を設け、
前記解錠キーには、先端部に開口を有し、前記解錠キーの挿入方向に延出し、前記突起が嵌入するスリットを設けたことを特徴とする付記１乃至３のいずれかに記載のＰＣカード盗難防止機構。
【００３９】
（付記５）
前記突起は、前記ロック板の挿入方向と交差する方向に複数設けられていることを特徴とする付記４記載のＰＣカード盗難防止機構。
【００４０】
（付記６）
前記突起は、前記ロック板の先端側に設けられていることを特徴とする付記４又は５記載のＰＣカード盗難防止機構。
【００４１】
（付記７）
前記突起は、前記ロック板の凹部に対向して複数設けられていることを特徴とする付記４又は５記載のＰＣカード盗難防止機構。
【図面の簡単な説明】
【００４２】
【図１】第１の形態例のＰＣカード盗難防止機構が設けられる情報処理装置の斜視図である。
【図２】図１においてセキュリティースロットにロック板を挿入した状態での切断線Ａ−Ａでの断面図である。
【図３】図３は図２の切断線Ｂ−Ｂでの断面図である。
【図４】図２の弾性ロック部材の拡大図である。
【図５】図１においてセキュリティースロットにロック板を挿入した状態を示す斜視図である。
【図６】図５においてセキュリティースロットに解錠キーを挿入した状態での切断線Ｃ−Ｃでの断面図である。
【図７】図６の切断線Ｄ−Ｄでの断面図である。
【図８】図６において、ＰＣカードが長い場合を説明する図である。
【図９】第２の形態例のロック板の斜視図である。
【図１０】第２の形態例の解錠キーの斜視図である。
【図１１】セキュリティースロットに図９のロック板、図１０の解錠キーを挿入した状態を示す図である。
【図１２】従来のＰＣカード盗難防止機構を示す斜視図である。
【符号の説明】
【００４３】
１０５  スロット
１０７  セキュリティースロット
１１１  ロック板
１１１ａ  凹部
１１１ｂ  後端面対向部
１２１  弾性ロック部材
１５１  解錠キー
【図１】
0005012308.tif 000002
【図２】
0005012308.tif 000003
【図３】
0005012308.tif 000004
【図４】
0005012308.tif 000005
【図５】
0005012308.tif 000006
【図６】
0005012308.tif 000007
【図７】
0005012308.tif 000008
【図８】
0005012308.tif 000009
【図９】
0005012308.tif 000010
【図１０】
0005012308.tif 000011
【図１１】
0005012308.tif 000012
【図１２】
0005012308.tif 000013